(57)【要約】  【課題】  液晶表示装置におけるバックライト装置を支えるシャーシを板金製にして薄型化、軽量化を可能にする。  【解決手段】  バックライト装置の少なくとも反射シート１２と光源ランプ管をシャーシ１の前面で保持するとともに、前記反射シート１２が隣り合う光源ランプ管の中間で山形に折曲されて前方へ突出している液晶表示装置において、前記シャーシ１を板金により構成するとともに、前記シャーシ１の背面に補強材６〜１０を当接して、前記反射シート１２の山形の折曲部１３〜１５の裏面位置で前記シャーシ１に前記補強材６〜１０を緊結する。【選択図】  図８
2006030936.tif 000002
【特許請求の範囲】
【請求項１】
一方の面（前面）に表示用の部材を配し他方の面（背面）に薄型表示装置の駆動及び制御のためのユニットを配したシャーシを有する薄型表示装置において、
前記シャーシは枠材に板金を固定して形成したことを特徴とする薄型表示装置。
【請求項２】
一方の面に表示用の部材を配し他方の面に薄型表示装置の駆動及び制御のためのユニットを配したシャーシを有する薄型表示装置において、
前記シャーシは枠材に板金を固定して形成するとともに、前記シャーシの背面に補強材を取り付けたことを特徴とする薄型表示装置。
【請求項３】
一方の面に表示用の部材を配し他方の面に薄型表示装置の駆動及び制御のためのユニットを配したシャーシを有する薄型表示装置において、
前記シャーシは枠材に板金を固定して形成するとともに、前記シャーシの前面に補強材を取り付けたことを特徴とする薄型表示装置。
【請求項４】
バックライト装置の少なくとも反射シートと光源ランプ管をシャーシの前面で保持した液晶表示装置において、
前記シャーシは枠材に板金を固定して形成したことを特徴とする液晶表示装置。
【請求項５】
バックライト装置の少なくとも反射シートと光源ランプ管をシャーシの前面で保持した液晶表示装置において、
前記シャーシは枠材に板金を固定して形成するとともに、前記シャーシの背面に補強材を取り付けたことを特徴とする液晶表示装置。
【請求項６】
バックライト装置の少なくとも反射シートと光源ランプ管をシャーシの前面で保持した液晶表示装置において、
前記シャーシは枠材に板金を固定して形成するとともに、前記シャーシの背面に前記光源ランプ管と交叉する方向に補強材を当接し、かつ隣り合う前記光源ランプ管の中間位置で前記シャーシを貫通して前記補強材をシャーシに緊結したことを特徴とする液晶表示装置。
【請求項７】
バックライト装置の少なくとも反射シートと光源ランプ管をシャーシの前面で保持した液晶表示装置において、
前記シャーシは枠材に板金を固定して形成するとともに、前記シャーシの前面であってかつ隣り合う前記光源ランプ管の中間位置に前記光源ランプ管と平行に補強材をシャーシに緊結したことを特徴とする液晶表示装置。
【請求項８】
バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、
前記シャーシを板金により構成するとともに、前記シャーシの背面に補強材を当接して、前記反射シートの山形折曲部の裏面位置で前記シャーシに前記補強材を緊結したことを特徴とする液晶表示装置。
【請求項９】
バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、
前記シャーシを板金により構成するとともに、前記シャーシの背面に前記光源ランプ管と交叉する方向に補強材を当接し、かつ前記反射シートの山形折曲部の裏面位置で前記シャーシを貫通する緊結手段を用いて前記補強材をシャーシに緊結したことを特徴とする液晶表示装置。
【請求項１０】
バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、
前記シャーシを板金により構成するとともに、前記シャーシの前面であって前記反射シートの山形折曲部の内側に補強材を当接して前記シャーシに緊結したことを特徴とする液晶表示装置。
【請求項１１】
請求項１０に記載の液晶表示装置において、
前記補強材の断面形状は、前記反射シートの山形折曲部に対応した三角形であることを特徴とする液晶表示装置。
【請求項１２】
請求項５乃至１０のいずれかに記載の液晶表示装置において、
前記補強材は板金を断面コ字形に折曲して形成されたことを特徴とする液晶表示装置。
【請求項１３】
請求項５乃至１２のいずれかに記載の液晶表示装置において、
前記シャーシと前記補強材との緊結部は前記シャーシにバーリング加工して形成されたネジ孔に前記補強材側からビスを螺着して緊結したことを特徴とする液晶表示装置。
【請求項１４】
請求項５乃至１３のいずれかに記載の液晶表示装置において、
前記シャーシの左右の短辺および上下の長辺に補強材を内接または外接して補強したことを特徴とする液晶表示装置。
【請求項１５】
請求項４乃至１４のいずれかに記載の液晶表示装置において、
前記反射シートは前記シャーシを貫通して装着された保持具により前記シャーシ前面に保持されることを特徴とする液晶表示装置。
【発明の詳細な説明】
【技術分野】
【０００１】
本発明は、液晶テレビ等の液晶表示装置および薄型表示装置に関し、詳しくはバックライト装置や表示用部材を支えるシャーシを板金製にして薄型化を可能にした液晶表示装置および薄型表示装置に関する。
【背景技術】
【０００２】
従来、液晶テレビ等の液晶表示装置では、バックライト装置を支えるシャーシをアルミダイキャスト製にすることにより、シャーシ全体の剛性を増し、反りや撓みの発生を防止していた。なお、従来、アルミダイキャスト製のフレームを用いた液晶表示装置として、特許文献１に記載のものがある。
【特許文献１】特開２００４−２１１０４号公報
【発明の開示】
【発明が解決しようとする課題】
【０００３】
しかしながら、特許文献１に記載のように、液晶表示装置のシャーシとして、アルミダイキャスト製のフレームを用いた場合は、寸法精度の必要な部分およびビス孔部分については、後加工として機械加工を施さなければならず、余分な工程とコストが増すという問題があるとともに、シャーシ部分の薄型化かつ軽量化にも限界があった。そのため、表示装置全体としての薄さ、重さにも悪影響を与えかねないという問題が残っていた。
一方、その改善策として、シャーシ部分を板金で構成することにより、後加工としての機械加工を削減することができるとともに、より薄型化、軽量化することが可能であるが、シャーシ部分を板金により構成した場合は、新たに、反りや撓みが発生しないように考慮する必要があった。
そこで、本発明は、反りや撓みを発生させることなく、液晶表示装置および薄型表示装置のシャーシの薄型軽量化を実現可能にすることを目的とした。
【課題を解決するための手段】
【０００４】
上記課題を解決するために、本発明に係る薄型表示装置は、一方の面に表示用の部材を配し他方の面に薄型表示装置の駆動及び制御のためのユニットを配したシャーシを有する薄型表示装置において、前記シャーシは枠材に板金を固定して形成したことを特徴とする。
【０００５】
また、本発明に係る薄型表示装置は、一方の面に表示用の部材を配し他方の面に薄型表示装置の駆動及び制御のためのユニットを配したシャーシを有する薄型表示装置において、
前記シャーシは枠材に板金を固定して形成するとともに、前記シャーシの背面に補強材を取り付けたことを特徴とする。
【０００６】
また、本発明に係る薄型表示装置は、一方の面に表示用の部材を配し他方の面に薄型表示装置の駆動及び制御のためのユニットを配したシャーシを有する薄型表示装置において、
前記シャーシは枠材に板金を固定して形成するとともに、前記シャーシの前面に補強材を取り付けたことを特徴とする。
【０００７】
また、本発明に係る液晶表示装置は、バックライト装置の少なくとも反射シートと光源ランプ管をシャーシの前面で保持した液晶表示装置において、前記シャーシは枠材に板金を固定して形成したことを特徴とする。
【０００８】
また、本発明に係る液晶表示装置は、バックライト装置の少なくとも反射シートと光源ランプ管をシャーシの前面で保持した液晶表示装置において、前記シャーシは枠材に板金を固定して形成するとともに、前記シャーシの背面に補強材を取り付けたことを特徴とする。
【０００９】
また、本発明に係る液晶表示装置は、バックライト装置の少なくとも反射シートと光源ランプ管をシャーシの前面で保持した液晶表示装置において、前記シャーシは枠材に板金を固定して形成するとともに、前記シャーシの背面に前記光源ランプ管と交叉する方向に補強材を当接し、かつ隣り合う前記光源ランプ管の中間位置で前記シャーシを貫通して前記補強材をシャーシに緊結したことを特徴とする。
【００１０】
また、本発明に係る液晶表示装置は、バックライト装置の少なくとも反射シートと光源ランプ管をシャーシの前面で保持した液晶表示装置において、前記シャーシは枠材に板金を固定して形成するとともに、前記シャーシの前面であってかつ隣り合う前記光源ランプ管の中間位置に前記光源ランプ管と平行に補強材を前記シャーシに緊結したことを特徴とする。
【００１１】
また、本発明に係る液晶表示装置は、バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、前記シャーシを板金により構成するとともに、前記シャーシの背面に補強材を当接して、前記反射シートの山形折曲部の裏面位置で前記シャーシに前記補強材を緊結したことを特徴とする。
【００１２】
また、本発明に係る液晶表示装置は、バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、前記シャーシを板金により構成するとともに、前記シャーシの背面に前記光源ランプ管と交叉する方向に補強材を当接し、かつ前記反射シートの山形折曲部の裏面位置で前記シャーシを貫通する緊結手段を用いて前記補強材をシャーシに緊結したことを特徴とする。
【００１３】
また、本発明に係る液晶表示装置は、バックライト装置の少なくとも反射シートと光源ランプ管をシャーシの前面で保持するとともに、前記反射シートからの反射光を均一化するために前記反射シートが隣り合う光源ランプ管の中間で山形に折曲されて前方へ突出している液晶表示装置において、前記シャーシを板金により構成するとともに、前記シャーシの前面であって前記反射シートの山形折曲部の内側に補強材を当接して前記シャーシに緊結したことを特徴とする。ここで、前記補強材の断面形状は、前記反射シートの山形折曲部に対応した三角形とすることが好ましい。
【００１４】
また、前記補強材は板金を断面コ字形に折曲して形成することが可能であり、前記シャーシと前記補強材との緊結部は前記シャーシにバーリング加工して形成されたネジ孔に前記補強材側からビスを螺着して緊結することも可能である。また、前記シャーシの左右の短辺および上下の長辺に補強材を内接または外接して補強することが好ましく、前記反射シートは前記シャーシを貫通して装着された保持具により前記シャーシ前面に保持されることも可能である。
【発明の効果】
【００１５】
以上述べたように本発明によれば、薄型表示装置および液晶表示装置のシャーシを板金により構成するとともに、シャーシの背面または前面に補強材を当接して、反射シートの山形折曲部の位置でシャーシに補強材を緊結したことで、シャーシ全体が薄型／軽量化されるとともに、シャーシ全体の剛性が増して、反りおよび撓みの発生が防止される。
【発明を実施するための最良の形態】
【００１６】
以下、図に基づいて本発明の実施形態を説明する。
図１〜図３は液晶テレビの概外観図を表し、図４，５は液晶テレビの内部構成概要図を表し、図６は本発明に係る液晶表示装置のシャーシを前面側から見た外観図であり、図７は図６を背面から見た外観図であり、図８は背面に補強材が取り付けられた位置でのシャーシ部分の断面図であり、図９は背面に補強材が取り付けられていない位置でのシャーシ部分の断面図である。
【００１７】
図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
次に、図４、５に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１がシート押えアングル１１２に保持され配置されている。バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。
【００１８】
この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。次にランプ１１５をランプホルダ下１１４に所定間隔で設けられたランプ固定溝に左右の位置を合わせて配置した後、ランプホルダ上１１３を位置合わせの後にランプ１１５両端部を被せ、ランプホルダ上１１３とランプホルダ下１１４を固定することで、光源部分が完成する。次に、光学シート１１１が保持されたシート押えアングル１１２をバックライトシャーシ１１７にビス固定しその後に、事前に前キャビネット１０１に固定されている液晶パネルユニット１１０とバックライトシャーシ１１７とをビス固定することで、液晶テレビの表示光学系が前キャビネット１０１付きで完成する。
【００１９】
バックライトシャーシ１１７の背面( 液晶パネル１００とは反対の面) には液晶パネル１００の駆動回路ユニットや、ランプ１１５駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
【００２０】
次に、液晶表示装置のシャーシ部分の構造について説明する。図６に示されるように、シャーシ１は、アルミ板の上下左右の辺の部分を折曲して箱型に形成され、左右の辺の内側にコ字形に折り曲げたフラットバー２，３が当接されてビス留めされている。同様に、シャーシ１の上下の辺の内側にアルミの押出材４，５が当接されてビス留めされている。これらフラットバー２，３と押出材４，５とにより四角形の枠が形成されてシャーシ１の剛性を高めている。
【００２１】
さらに、図７に示されるように、シャーシ１の背面には、縦方向に３本の補強材６〜８がビス留め等の手段によって緊結されている。補強材６〜８は、鋼板を断面コ字形に折曲したものである。さらに、補強材７，８の間には、横方向に２本の補強材９，１０がビス留めされている。補強材９は鋼板を断面コ字形に折曲したものであり、補強材１０は鋼板を断面Ｌ字形に折曲したものである。これら補強材６〜１０により、シャーシ１の平面部分の剛性が高められるので、シャーシが大型化されることに伴って著しく発生する反りや撓み等の問題を抑制することが可能となる。
【００２２】
さらに、このシャーシ１の前面に配置されるバックライト装置は、図８および図９のように構成されている。すなわち、シャーシ１の前面には、白色樹脂からなる反射シート１２が敷設されており、更にその前面に蛍光管２７や拡散板、更に液晶パネル１７が配置されている。このバックライト装置に含まれる複数本の蛍光管２７は、全ての蛍光管が画面に対して垂直又は水平に配置され、かつ等間隔で配置される。そして、反射シート１２は、蛍光管２７からの出射光を前面に均一かつ有効に反射するために、隣り合う蛍光管の間の位置に山形の突出形状を有し、折曲部１３〜１５が形成されている。なお、反射シート１２の前方には、拡散板１６が配置され、その前方には液晶パネル１７が配置され、液晶パネル１７はベゼル１８を介してシャーシ１に支持されている。
【００２３】
尚、拡散板１６と液晶パネル１７との間には表示部の視野角特性及び画面輝度を設計者の思想に応じて設計するために、プリズムシートや反射偏光板等の各種光学シート（図示せず）が配置されていても良い。また、反射シート１２は、図９に示されるように、その折曲部１３〜１５の中間の位置（つまり、蛍光管の配置された位置の直下の位置）で、反射シート１２の前面側から挿入された保持具１９によりシャーシ１に固定されて、反射シート１２が反ることによりシャーシ１から離間することが防止される。具体的には保持具１９の先端にシャーシに設けられた穴に対し引っ掛けるための係止片を設けておいて、これによる保持具とシャーシの嵌合作業によって、反射シート１２がこれらの部材によって挟まれる。
【００２４】
本発明に係るテレビジョン装置は、テレビジョン放送信号を受信するアンテナを通して受信されたテレビジョン放送信号を映像検波し、映像信号および音声信号を出力する受信部と、放送信号以外に外部から所定の映像音声情報を入力するための外部入力端子や外部メモリ用スロットなどで構成される外部情報入力部と、そして、この放送信号と外部から入力された映像音声情報とのいずれかを表示等するために選択するための切替部によって、表示あるいは音声出力するべき映像信号及び音声信号の選択がなされ、映像信号は映像処理部へ音声信号は音声処理部で伝達される。
【００２５】
こうして、映像処理部及び音声処理部で信号処理された映像及び音声情報はそれぞれ表示部（液晶パネル１７）に表示され、スピーカー等の音声出力手段に出力される。このとき、液晶パネル１７の背面部では、図８および図９に示されるバックライト装置が点灯されているため、液晶パネル１７の表示が前方から視認可能になる。
【００２６】
そして、本発明の特徴としては、反射シート１２に形成された折曲部１３〜１５に着目し、折曲部１３〜１５の裏側の空間部分を利用して、シャーシ１の前記空間部分に位置する箇所でシャーシ１と補強材６〜１０とを緊結するための固定手段を設けたことを特徴とする。すなわち、折曲部１３〜１５の裏側の位置であって、補強材６〜１０が当接される位置のシャーシ１部分に、前面側が突出するようにバーリング加工してねじ孔を形成し、そのねじ孔に補強材６〜１０側から挿入したビス２１，２２を螺着することで、シャーシ１の背面の任意の位置に縦方向または横方向に補強材６〜１０を緊結することが可能となった。
【００２７】
シャーシ１は、軽量化のために肉厚が薄いが、バーリング加工したことで、充分な螺着強度が得られて、補強材６〜１０を強固にシャーシ１に緊結することが可能となる。その結果、シャーシ１は剛性が増大して、シャーシ１の反りおよび撓みを液晶表示装置が機能するのに支障ない程度におさえることが可能となった。
【００２８】
また、本発明の液晶表示装置では、図７に示されるように、シャーシ１の所定位置の背面に円柱状をした多数のブラインドナット２０が固着されており、このブラインドナット２０に、各種の回路基板や補助機器部品等（図示せず）が装着される。このブラインドナット２０は、シャーシ１の前面側に突出しないため、設置位置が突出部１３〜１５の裏側の位置に限定されることはない。なお、図８の折曲部１４の裏側には、シャーシ１に孔を開けておき、シャーシ１の前面側からビス２３を挿通して、シャーシ１の背面側に当接された角パイプからなる補強材２５に螺着させることで、補強材２５を強固にシャーシ１に緊結している。
【００２９】
次に、シャーシ１の補強構造の他の実施形態について説明する。図１０は、前述したシャーシ１の背面側に補強材を取り付ける場合とは反対に、シャーシ１の前面に補強材を取り付けたものである。すなわち、シャーシ１の前面であって、反射シート１２に形成された折曲部１３〜１５の裏面側の断面三角形の空間に、図１１に示される三角形断面をした補強材２９を配置し、シャーシ１の裏面側からビス２９により取り付けたものである。図示例では、中実の押出材からなる補強材２９を用いたが、中空の三角形をしたパイプ材でも良いし、または、断面が台形状をした補強材でもよい。
【００３０】
さらには、図１２に示されるように、板金をコ字形に折曲し、さらに両端を内側に折り込んだものを補強材３０としても良い。この補強材３０を用いた場合は、シャーシ１にバーリング加工してネジ孔を形成しておけば、補強材３０側からビスを挿入してシャーシ１に緊結可能であるため、ビスの頭部がシャーシ１の背面に突出することがなくなる利点がある。このように、シャーシ１の前面に補強材２９を取り付けた場合は、シャーシ１の背面に補強材が存在しないため、シャーシ１の背面における各種の回路基板や補助機器部品等の配置の自由度を増すことができる。さらに、補強材２９の断面形状を、反射シート１２に形成された折曲部１３〜１５の内側寸法と同一にした場合、反射シート１２の折曲部１３〜１５の山形形状を内側から保持する作用もあり、組立工程での反射シート１２の取り付け作業が容易となる。
【００３１】
このように、折曲部１４等の裏側に当たるシャーシ１の部分は、孔加工や、バーリング加工が自在であるため、補強材以外に、液晶表示装置に付属する各種補助機器部品等を固定するのに利用することが可能である。上述した実施形態では、ビスを用いて補強材をシャーシに緊結しているが、ビス以外に、リベットを用いたり、スポット溶接により緊結することも可能である。なお、図６および図７の上下の長辺の外側に突出している複数の足２６は、このシャーシ１の前後に接合されるプラスチック製の前キャビネットおよび後キャビネットを取り付けるためのものである。
【００３２】
また、本発明では、シャーシ１に補強材６〜１０を緊結するために、ビス、リベット、スポット溶接等を用いることが可能であるとしたが、さらに加えて、接着、全面溶接、カシメ等により緊結することも可能である。
また、シャーシの素材として、実施形態ではアルミ板を用いていたが他の鋼板等の金属板を用いることも可能であり、さらには、剛性の大きいプラスチック板を用いることも可能であり、その場合は、補強材もプラスチックとしてシャーシと一体成形することが可能となる。
【００３３】
また、補強材としては、鋼板を用いたが、他の金属板でもよいし、フラットバーや金属の押出材を用いることも可能であり、さらには、引っ張り強度の大きいプラスチックを用いることも可能である。
また、補強材の断面形状は、上述したコ字形、Ｌ字形、角パイプ以外には、長方形、その他押出し可能な各種形状とすることが可能である。
なお、シャーシ全体をプレス成形により作成することが可能な場合は、背面または前面の補強材の位置をリブ状に突出させて補強材の機能を果たさせることが可能となる。
【００３４】
同様に、シャーシ全体をプレス成形により作成することが可能な場合は、反射シート１２の山形の折曲部１３〜１５の位置に該折曲部１３〜１５と略同形状の突出部を形成して、補強材の役目をさせることも可能である。この場合は、背面に突出部が形成されないため、背面での回路基板等の配置の自由度を増すとともにより薄型にすることが可能となる。
また、前述したように補強材をシャーシの背面でなく、前面の山形の折曲部１３〜１５の内側に配置することも可能であるが、この場合も、背面に突出部が形成されないため、背面での回路基板等の配置の自由度を増すとともにより薄型にすることが可能となる。
【産業上の利用可能性】
【００３５】
本発明は、液晶表示装置以外に、アルミ等の軽金属からなるダイキャスト製シャーシを有する他のＰＤＰテレビ等の薄型表示装置にも利用可能である。
【図面の簡単な説明】
【００３６】
【図１】本発明に係る液晶テレビを斜め前上方から見た外観図である。
【図２】本発明に係る液晶テレビを斜め下後方から見た外観図である。
【図３】図２からスタンドを除去した状態を示す外観図である。
【図４】液晶テレビの内部構成を示す分解斜視図である。
【図５】図４の後部の構成を示す分解斜視図である。
【図６】本発明に係る液晶表示装置のシャーシを前面側から見た外観図である。
【図７】図１を背面から見た外観図である。
【図８】背面に補強材が取り付けられた位置でのシャーシ部分の断面図である。
【図９】背面に補強材が取り付けられていない位置でのシャーシ部分の断面図である。
【図１０】他の補強構造を示す断面図である。
【図１１】図１０の補強材を単独で示す斜視図である。
【図１２】図１０の補強材の他の形状を示す斜視図である。
【符号の説明】
【００３７】
１  シャーシ
２，３  フラットバー
４，５  押出材
６〜１０  補強材
１２  反射シート
１３〜１５  折曲部
１６  拡散板
１７  液晶パネル
１８  ベゼル
１９  保持具
２０  ブラインドナット
２１〜２３  ビス
２５  補強材
２６  足
２７  蛍光管
２８  補強材
２９  ビス
３０  補強材
１００  液晶パネル
１０１  前キャビネット
１０２  後ろキャビネット
１０３  操作ボタン類
１０４  スピーカー
１０５  スタンド
１１０  液晶パネルユニット
１１１  光学シート
１１２  シート押えアングル
１１３  ランプホルダ上
１１４  ランプホルダ下
１１５  ランプ
１１６  反射シート
１１７  バックライトシャーシ
【図１】
2006030936.tif 000003
【図２】
2006030936.tif 000004
【図３】
2006030936.tif 000005
【図４】
2006030936.tif 000006
【図５】
2006030936.tif 000007
【図６】
2006030936.tif 000008
【図７】
2006030936.tif 000009
【図８】
2006030936.tif 000010
【図９】
2006030936.tif 000011
【図１０】
2006030936.tif 000012
【図１１】
2006030936.tif 000013
【図１２】
2006030936.tif 000014